(57)【要約】【課題】液状内容物の開封使用時に手指を汚すことなく簡単にワンタッチで注出が可能な注出部を有する容器を提供する。【解決手段】注出部を有する容器１は、開口部１１の蓋体嵌合部３０に外部への注出部２１に連なる連通部２０を有する容器本体１０と、容器本体の開口部の蓋体嵌合部に嵌着され連通部を閉鎖する封鎖部６０と、封鎖部の上部に折曲部７１を介して下方へ膨出する膨出部７５を備えたつまみ部７０を有する蓋体５０よりなり、蓋体のつまみ部の押し下げにより膨出部下端７５ａが容器本体の上面鍔部１５の当接部１５ａと圧接反動して封鎖部及びその近傍が上方へ移動することによって、蓋体の蓋面部５１が蓋体嵌合部から移動して容器本体の連通部を開放する。【選択図】図１
2015131645.tif 000002
【特許請求の範囲】
【請求項１】
開口部の蓋体嵌合部に外部への注出部に連なる連通部を有する容器本体と、
前記容器本体の前記開口部の蓋体嵌合部に嵌着され前記連通部を封鎖する封鎖部と、前記封鎖部の上部に折曲部を介して下方へ膨出する膨出部を備えたつまみ部を有する蓋体よりなり、
前記蓋体の前記つまみ部の押し下げにより前記膨出部先端が前記容器本体と圧接反動して前記封鎖部及びその近傍が上方へ移動し、前記蓋体嵌合部から移動して前記容器本体の前記連通部を開放するように構成された
ことを特徴とする注出部を有する容器。
【請求項２】
前記蓋体の前記つまみ部の押し下げにより前記封鎖部が上方へ移動した際に、前記封鎖部が前記容器本体に形成された第二嵌合部に嵌着する請求項１に記載の注出部を有する容器。
【請求項３】
前記蓋体の前記つまみ部の押し下げにより前記封鎖部が上方へ移動した際に、蓋体の他の部位は前記蓋体嵌合部に保持されている請求項１または２に記載の注出部を有する容器。
【請求項４】
前記容器本体の前記蓋体嵌合部に、前記注出部側が上下方向に幅広く前記注出部の反対側に向けて漸次狭くなるテーパ状嵌着面を有する請求項１ないし３のいずれか１項に記載の注出部を有する容器。
【請求項５】
前記蓋体の前記封鎖部が上方に移動した後に、前記蓋体を押し下げ前記封鎖部を下方へ移動して前記容器本体の前記連通部を封鎖する位置に復元可能である請求項１ないし４のいずれか１項に記載の注出部を有する容器。
【請求項６】
前記蓋体嵌合部の前記注出部の反対側に容器角膨出部が形成され、かつ、前記蓋体の蓋面部における前記容器角膨出部と対応する部位に蓋角膨出部が形成されている請求項１ないし５のいずれか１項に記載の注出部を有する容器。
【発明の詳細な説明】
【技術分野】
【０００１】
この発明は注出部を有する容器に関し、特には液状物の簡便な開封を可能とする包装容器に関する。
【背景技術】
【０００２】
例えばコンビニエントストアやデパートの食品売り場で販売される惣菜に特製のドレッシングやソース類が付属されることがある。これらは通常液状物（なお、ここではケチャップやタルタルソースなどの粘稠物を含む意味として用いる。）であり、袋状に包装されるものもあるが、使用時の便宜や嗜好を考慮して小容量のカップ状の個包装容器に充填されることも多い。従来のこの種の容器としては、カップ状の容器本体の上部開口に蓋体をヒートシールし、使用時に蓋体を剥離して開封するのが一般的である（例えば、特許文献１、２等参照。）。
【０００３】
しかしながら、この従来容器では、開封時に一方の手で容器本体を支えながら他方の手で蓋体の一部をつまんでヒートシールされた蓋体を剥ぎ取る必要がある。つまり、両手を使用しなければ開封することが困難である。また、蓋体が完全に剥がれずに破れたり、強い力で蓋体を剥がした際にその反動で内容物が飛散して手や衣服等を汚してしまったりすることもしばしばであった。
【０００４】
一方、前記したようなコンビニエントストアやデパートの食品売り場で販売される惣菜類にあっては、直接消費者に販売されかつ短時間に消費されることが予想されるのでヒートシールによる強固な封止の必要性は乏しく、単純な蓋体の嵌合容器なども多用される。しかし、この種の嵌合容器にあっても、容器が小型であることもあって蓋体を容器本体から取り外すときに中身の液体がこぼれたり手指に付着したりして使い勝手が悪く煩雑であった。そこで、消費者からは液状物の開封使用時に手指を汚すことなく簡単にワンタッチで注出が可能な容器が求められていた。
【先行技術文献】
【特許文献】
【０００５】
【特許文献１】特開２０００−１０３４７０号公報
【特許文献２】特開２００１−１３９０６１号公報
【発明の概要】
【発明が解決しようとする課題】
【０００６】
本発明は、前記の点に鑑みなされたものであり、液状内容物の開封使用時に手指を汚すことなく簡単にワンタッチで注出が可能な注出部を有する容器を提供するものである。
【課題を解決するための手段】
【０００７】
すなわち、請求項１の発明は、開口部の蓋体嵌合部に外部への注出部に連なる連通部を有する容器本体と、前記容器本体の前記開口部の蓋体嵌合部に嵌着され前記連通部を閉鎖する封鎖部と、前記封鎖部の上部に折曲部を介して下方へ膨出する膨出部を備えたつまみ部を有する蓋体よりなり、前記蓋体の前記つまみ部の押し下げにより前記膨出部下端が前記容器本体と圧接反動して前記封鎖部及びその近傍が上方へ移動し、前記蓋体嵌合部から移動して前記容器本体の前記連通部を開放するように構成されたことを特徴とする注出部を有する容器に係る。
【０００８】
請求項２の発明は、前記蓋体の前記つまみ部の押し下げにより前記封鎖部が上方へ移動した際に、前記封鎖部が前記容器本体に形成された第二嵌合部に嵌着する請求項１に記載の注出部を有する容器に係る。
【０００９】
請求項３の発明は、前記蓋体の前記つまみ部の押し下げにより前記封鎖部が上方へ移動した際に、蓋体の他の部位は前記蓋体嵌合部に保持されている請求項１または２に記載の注出部を有する容器に係る。
【００１０】
請求項４の発明は、前記容器本体の前記蓋体嵌合部に、前記注出部側が上下方向に幅広く前記注出部の反対側に向けて漸次狭くなるテーパ状嵌着面を有する請求項１ないし３のいずれか１項に記載の注出部を有する容器に係る。
【００１１】
請求項５の発明は、前記蓋体の前記封鎖部が上方に移動した後に、前記蓋体を押し下げ前記封鎖部を下方へ移動して前記容器本体の前記連通部を封鎖する位置に復元可能である請求項１ないし４のいずれか１項に記載の注出部を有する容器に係る。
【００１２】
請求項６の発明は、前記蓋体嵌合部の前記注出部の反対側に容器角膨出部が形成され、かつ、前記蓋体の蓋面部における前記容器角膨出部と対応する部位に蓋角膨出部が形成されている請求項１ないし５のいずれか１項に記載の注出部を有する容器に係る。
【発明の効果】
【００１３】
請求項１の発明に係る注出部を有する容器によると、開口部の蓋体嵌合部に外部への注出部に連なる連通部を有する容器本体と、前記容器本体の前記開口部の蓋体嵌合部に嵌着され前記連通部を閉鎖する封鎖部と、前記封鎖部の上部に折曲部を介して下方へ膨出する膨出部を備えたつまみ部を有する蓋体よりなり、前記蓋体の前記つまみ部の押し下げにより前記膨出部下端が前記容器本体と圧接反動して前記封鎖部及びその近傍が上方へ移動し、前記蓋体嵌合部から移動して前記容器本体の前記連通部を開放するように構成されたことを特徴とするものであるから、開封使用時に蓋体のつまみ部の押し下げのみによって簡単にワンタッチで手指を汚すことなく液状内容物の注出が可能となる。
【００１４】
請求項２の発明に係る注出部を有する容器によると、請求項１において、前記蓋体の前記つまみ部の押し下げにより前記封鎖部が上方へ移動した際に、前記封鎖部が前記容器本体に形成された第二嵌合部に嵌着するものであるから、開封使用時の連通部の開放が確実になされ使い勝手がよく使用感に優れる。
【００１５】
請求項３の発明に係る注出部を有する容器によると、請求項１または２において、前記蓋体の前記つまみ部の押し下げにより前記封鎖部が上方へ移動した際に、蓋体の他の部位は前記蓋体嵌合部に保持されているものであるから、開封使用時に蓋体が不用意に外れて内容物がこぼれたりするおそれがなく安心して使用でき、使い勝手がよく使用感に優れる。
【００１６】
請求項４の発明に係る注出部を有する容器によると、請求項１ないし３のいずれかにおいて、前記容器本体の前記蓋体嵌合部に、前記注出部側が上下方向に幅広く前記注出部の反対側に向けて漸次狭くなるテーパ状嵌着面を有するものであるから、開封使用時の蓋体の保持をより確実に行うことができ、使い勝手がよく使用感がより向上する。
【００１７】
請求項５の発明に係る注出部を有する容器によると、請求項１ないし４のいずれかにおいて、前記蓋体の前記封鎖部が上方に移動した後に、前記蓋体を押し下げ前記封鎖部を下方へ移動して前記容器本体の前記連通部を閉鎖する位置に復元可能であるから、使用後の容器内の残りの内容物がある場合に蓋体を被せて閉鎖しておくことができ、後に再使用するにしても廃棄するにしても使用者や場所を汚すことが防止でき便宜である。
【００１８】
請求項６の発明に係る注出部を有する容器によると、請求項１ないし５のいずれかにおいて、前記蓋体嵌合部の前記注出部の反対側に容器角膨出部が形成され、かつ、前記蓋体の蓋面部における前記容器角膨出部と対応する部位に蓋角膨出部が形成されているため、容器本体と蓋体の嵌着状態及び開封状態のいずれにおいても蓋体の安易な脱離は回避される。
【図面の簡単な説明】
【００１９】
【図１】本発明の注出部を有する容器の分離状態の側面図及び正面図である。
【図２】図１の注出部を有する容器の嵌着状態の側面図及び正面図である。
【図３】容器本体の平面図である。
【図４】注出部を有する容器の分離状態の側面視縦断面図である。
【図５】注出部を有する容器の嵌着状態の側面視縦断面図である。
【図６】注出部を有する容器の開封状態の側面視縦断面図である。
【発明を実施するための形態】
【００２０】
図示はこの発明の実施例に係る注出部を有する容器１であって、主にコンビニエンスストアやスーパーマーケット、デパート等における弁当や惣菜の小売り提供、ビュッフェ形式等の飲食店内における提供、ケータリング、仕出し、宅配サービス等において、液状物や流動物（粘稠物）の内容物を充填後に密封でき、簡単な操作により当該液状等の内容物を注ぎやすくした容器である。
【００２１】
容器１は、従来公知の合成樹脂シートの成形品よりなり、具体的には、ポリエチレン、ポリプロピレン、ポリスチレン、ポリエチレンテレフタレート等の合成樹脂シートやポリ乳酸等の生分解性の合成樹脂シートを使用することができる。合成樹脂シートの厚さは適宜ではあるものの、概ね１ｍｍ以下の厚さである。そして、容器１はこれらの合成樹脂シートの真空成形により成形することができる。
【００２２】
本発明は図１ないし６に示し、請求項１として規定したように、開口部１１の蓋体嵌合部３０に外部への注出部２１に連なる連通部２０を有する容器本体１０と、容器本体１０の開口部１１の蓋体嵌合部３０に嵌着され連通部２０を閉鎖する封鎖部６０と、封鎖部６０の上部に折曲部７１を介して下方へ膨出する膨出部７５を備えたつまみ部７０を有する蓋体５０よりなる。そして、蓋体５０のつまみ部７０の押し下げにより、膨出部下端７５ａが容器本体１０と圧接反動して、封鎖部６０及びその近傍が上方へ移動する（図６の６０Ａ参照）。このとき、封鎖部６０及びその近傍が蓋体嵌合部３０から移動して容器本体１０の連通部２０を開放するように構成されたことを特徴とする。以下各部について図面とともに説明する。
【００２３】
容器本体１０は、カップ状に形成され、その開口部１１に外部への注出部２１が形成されている。実施例では図３の平面図に図示したように平面洋梨形状（涙滴状）の容器本体１０の先細側の先端部に注出部２１が形成されている。この注出部２１は容器本体１０の上面鍔部１５に凹溝状に形成された注出口２２とその下段部２３によって断面Ｌ字溝状になっている（図４参照）。
【００２４】
容器本体１０の開口部１１の内側には蓋体嵌合部３０が形成される。蓋体嵌合部３０は壁部３３及び段部３４よりなる。そして、蓋体嵌合部３０に注出部２１に連なる連通部２０が形成される。実施例の連通部２０は図示のように壁部３３に形成された切欠部よりなる。連通部２０の始点となる部位は第一嵌合部３７であり、第一嵌合部３７は蓋体５０の嵌着時に封鎖部６０の当接により閉鎖され、液状内容物の不用意な漏洩は防がれる（図５参照）。図中の符号１３は容器壁部、１４は底部である。
【００２５】
蓋体５０は容器本体１０の開口部１１内側の蓋体嵌合部３０に嵌着される。実施例の蓋体５０は容器本体１０に内嵌合する嵌着形態である（図５参照）。図中の符号５１は容器開口部１１を覆う蓋面部、５２は段部、５３は壁部、５４は上鍔部、５９は蓋板部である。蓋体５０には、容器本体１０の開口部１１内側の蓋体嵌合部３０に形成された連通部２０（第一嵌合部３７）を閉鎖する封鎖部６０が備えられる。実施例の封鎖部６０は容器本体１０の蓋体嵌合部３０に嵌合する壁部５３の一部に一体に形成されている。
【００２６】
また、蓋体５０には、封鎖部６０の上部に折曲部７１を介して下方へ膨出する膨出部７５を備えたつまみ部７０が備えられる。このつまみ部７０は、図２及び図５のように、上鍔部５４に折り曲げ部７１を介して連接されていて、膨出部７５の下端７５ａは容器本体１１の上面鍔部１５と当接するように配設される。実施例のつまみ部７０は、開封時の操作を簡単かつ確実にするために、蓋体５０が容器本体１１に被せられた通常の状態（封止、嵌着状態）では予め上面鍔部１５と当接していて、図２及び図５のように斜め上方に傾斜状に位置している。
【００２７】
この容器１の使用時、つまり液状内容物の注出時には、図５及び図６の断面図から理解されるように、蓋体５０のつまみ部７０が押し下げられると、つまみ部７０の膨出部７５の下端７０ａが容器本体１０の上面鍔部１５の当接部１５ａと圧接反動する。具体的には、片方の手の指、例えば人差し指でつまみ部７０の膨出部７５の側端７２を上方から押さえ、同時に親指で上面鍔部１５の当接部１５ａを下方から押さえる。そして、膨出部７５の側端７２を蓋体５０の蓋板部５９側（蓋体の内部側）に近づけるように、膨出部７５の下端７０ａを当接部１５ａに圧接させながら滑らせる。
【００２８】
そうすると、膨出部７５の斜め位置と移動後の高低差から、蓋体５０のつまみ部７０の折曲部７１を介して蓋体５０が持ち上げられる。そこで、蓋体５０の壁部５３の封鎖部６０及びその近傍は上方へ移動することとなり（図６の移動後の封鎖部６０Ａを参照）、容器本体１０の連通部２０は開放される。結果、連通部２０の開放に伴い容器本体１０内部とその注出部２１は連通し、容器本体１０内の液状内容物は外部に注出可能となる。このように、蓋体５０のつまみ部７０の押し下げの操作のみによって簡単にワンタッチで手指を汚すことなく液状内容物を注出することができる。
【００２９】
請求項２の発明として規定し実施例に図示したように、蓋体５０のつまみ部７０の押し下げにより封鎖部６０が第一嵌合部３７から上方へ移動し連通部２０が開放された際に、当該移動した封鎖部６０Ａは容器本体１０に形成された第二嵌合部４０に嵌着する（図６参照）。このようにすると、開封使用時の連通部２０の開放が確実になされるとともに、節度感があり、使い勝手よく使用感に優れる。
【００３０】
また、請求項３の発明として規定したように、蓋体５０のつまみ部７０の押し下げにより封鎖部６０が上方へ移動した際に、蓋体５０の他の部位が蓋体嵌合部３０に保持されている。この実施例では蓋体５０の後端側である。この構成にすると、連通部２０は開放されているものの蓋体５０は容器本体１０側に保持される。そこで、開封使用時に蓋体が不用意に外れて内容物がこぼれたりするおそれがなく安心して使用でき、使い勝手がよく使用感に優れる。
【００３１】
なお、請求項４の発明として規定し図示したように、容器本体１０の蓋体嵌合部３０に、注出部２１側（前部側）が上下方向に幅広く注出部反対側（後部側）に向けて漸次狭くなるテーパ状嵌着面３５が配されている。図５及び図６の作動状態の断面図からよく理解されるに、注出部２１側（前部側）が上方向に移動して連通部２０を開放しても注出部反対側（後部側）はテーパ状嵌着面３５後部の蓋体嵌合部３０に保持されていることになり、開封使用時の蓋体の保持をより確実に行うことができ、使い勝手がよく使用感がより向上する。
【００３２】
さらに、請求項５の発明として規定したように、蓋体５０の封鎖部６０が上方に移動した後において、蓋体５０を押し下げ封鎖部６０を下方へ移動して容器本体１０の連通部２０を閉鎖する位置に復元可能なように構成される。具体的には蓋体５０が図６から図５の状態へ戻ることである。この場合、使用後の容器内の残りの内容物がある場合に蓋体を被せて閉鎖しておくことができ、後に再使用するにしても廃棄するにしても使用者や場所を汚すことが防止でき便宜である。
【００３３】
加えて、図４ないし図６から理解され、請求項６の発明に規定するように、蓋体嵌合部３０において、壁部３３及び段部３４の接続部位は容器角部３５である。容器角部３５は直角や鈍角ではなく、僅かに鋭角であり下方側ほど容器本体１０の外方に膨らんだ容器角膨出部３６を形成している。蓋面部５１も蓋体嵌合部３０の形状に対応して形成されており、蓋面部５１の壁部５３と段部５２の接続部位は蓋角部５５となる。蓋角部５５も同様に僅かに下方側ほど蓋体５０の外方に膨らんだ蓋角膨出部５６を形成している。
【００３４】
容器本体１０に容器角膨出部３６が形成され、これに対応すべく蓋体５０に蓋角膨出部５６が形成されているため双方の嵌着性は高まる。すなわち、図５の容器本体１０と蓋体５０の嵌着状態では、蓋体５０は安易に脱離し難い。同時に、気密性ゆえに内容物の漏出も抑制される。また、図６の蓋体５０の開封状態において蓋体５０が回動した際、容器角膨出部３６は蓋角膨出部５６の外側から被さるとともに回動の支点として支えている。それゆえ、開封状態となっても蓋体５０の安易な脱離は回避される。さらには、蓋体５０のつまみ部７０の操作を伴った移動に際して、蓋角膨出部５６と容器角膨出部３６の接触が安定していることから、蓋体５０の封鎖部６０の第一嵌合部３７から第二嵌合部４０への嵌着は円滑となる。
【００３５】
これまでに図示し、詳述した実施例において、壁部３３に形成された第一嵌合部３７は直角や鈍角ではなく、僅かに鋭角であり下方側ほど容器本体１０の外方に膨らんだ嵌合角膨出部３８を形成している。そして、封鎖部６０も僅かに鋭角であり下方側ほど蓋体５０の外方に膨らんだ蓋嵌合角膨出部６１を形成している。従って、図５の嵌着状態のように、封鎖部６０の蓋嵌合角膨出部６１は嵌合角膨出部３８側に覆われて安易に封鎖部６０は外れない構成である。それゆえ、つまみ部７０の押し下げ操作を伴わなければ開封できなくされている。
【００３６】
図６からよくわかるように、第二嵌合部４０は適度な窪みを有しており、封鎖部６０の蓋嵌合角膨出部６１と当接して安定した嵌着が得られる。つまり、容器１の開封状態においても、蓋体５０の姿勢を安定して保持することができる。
【符号の説明】
【００３７】
１  容器
１０  容器本体
１１  開口部
１３  容器壁部
１４  底部
１５  上面鍔部
１５ａ  当接部
２０  連通部
２１  注出部
２２  注出口
２３  下段部
３０  蓋体嵌合部
３３  壁部
３４  段部
３６  容器角膨出部
３７  第一嵌合部
４０  第二嵌合部
５０  蓋体
５１  蓋面部
５３  壁部
５６  蓋角膨出部
６０  封鎖部
６０Ａ  上方移動状態の封鎖部
７０  つまみ部
７５  膨出部
７５ａ  膨出部下端
【図１】
2015131645.tif 000003
【図２】
2015131645.tif 000004
【図３】
2015131645.tif 000005
【図４】
2015131645.tif 000006
【図５】
2015131645.tif 000007
【図６】
2015131645.tif 000008